(57)【要約】      （修正有）【課題】六角レンチを簡単に且つ強固に収納できると共に、盗難防止効果もあり、着脱作業が簡単である収納ケースを提供する。【解決手段】収納ベースは、本体１０と、六角レンチ３０を収納するために、該本体の両側に形成されると共に、それぞれ間隔をおいて配設される複数の収容溝と、六角レンチを当接して固定するために、該各収容溝の両側から互いに対応するように凸設される２対の当接凸部と、該本体の一端を貫通する軸孔と、該本体の他端に形成される掛止凹部とを備え、該保持カバーは、前記本体をカバーすることができるように、回動自在に該本体に枢設されるカバー部材２０と、該カバー部材に形成される吊り下げ部２３と、前記軸孔に回転可能に挿設されると共に、該カバー部材の一端に設けられる枢軸と、該掛止凹部と着脱可能に係合されると共に、該カバー部材の他端に設けられる掛止フック２２とを備えるものである。【選択図】図３
0003162849.tif 000002
【実用新案登録請求の範囲】
【請求項１】
本体と、該本体の両側に形成されると共に、それぞれ間隔をおいて配設される複数の収容溝と、該各収容溝の両側から互いに対応するように凸設される２対の当接凸部と、該本体の一端を貫通する軸孔と、該本体の他端に形成される掛止凹部とを備える収納ベースと、
前記本体をカバーすることができるように、回動自在に該本体に枢設されるカバー部材と、該カバー部材に形成される吊り下げ部と、前記軸孔に回転可能に挿設されると共に、該カバー部材の一端に設けられる枢軸と、該掛止凹部と着脱可能に係合されると共に、該カバー部材の他端に設けられる掛止フックとを備える保持カバーと、を有することを特徴とする六角レンチ用収納ケース。
【請求項２】
前記各収容溝は、湾曲状を呈し、その湾曲状部の外側に弧状のパッド部が設けられると共に、該パッド部における内弧面に凸縁が設けられることを特徴とする請求項１に記載の六角レンチ用収納ケース。
【請求項３】
前記収納ベースは、前記本体の底面の全域に亘って弧状を呈するように下方に伸びる固定座を備え、該固定座の両側にそれぞれ、前記収容溝と対応する複数の位置決め凹部が形成され、該各位置決め凹部の一側にフックが延設されることを特徴とする請求項１または請求項２に記載の六角レンチ用収納ケース。
【請求項４】
前記フックの末端内面に凸部が形成されることを特徴とする請求項３に記載の六角レンチ用収納ケース。
【請求項５】
前記軸孔の上部内周面に孤状の回動制限部が形成され、
前記枢軸は、該回動制限部に移動可能に取り付けられると共に、上部周面にストッパーが凸設されることを特徴とする請求項３に記載の六角レンチ用収納ケース。
【請求項６】
前記軸孔の上部内周面に孤状の回動制限部が形成され、
前記枢軸は、該回動制限部に移動可能に取り付けられると共に、上部周面にストッパーが凸設されることを特徴とする請求項４に記載の六角レンチ用収納ケース。
【考案の詳細な説明】
【技術分野】
【０００１】
本考案は、特に側面から着脱可能であると共に、盗難防止機能も備えた六角レンチ用収納ケースに関するものである。
【背景技術】
【０００２】
図７に示すように、従来の六角レンチ用収納ケースは、挿設座４０を有し、該挿設座４０に、異なるサイズの複数の六角レンチをそれぞれ縦方向に挿設させるための複数の挿入孔４１が形成される。そして収納する時、小さいサイズの六角レンチを大きい六角レンチより先に挿入孔４１に挿設すれば、該複数の六角レンチを小さな体積の挿設座４０に収納することができるので、利便性や実用性に優れている。
【考案の概要】
【考案が解決しようとする課題】
【０００３】
しかしながら、従来の六角レンチ用収納ケースでは、先ず大きいサイズの六角レンチを横方向に９０度回転させ、若しくは大きいサイズの六角レンチを取り外さなくては、小さいサイズの六角レンチを取り外すことができないので、非常に不便であった。さらに、従来の六角レンチ用収納ケースは、盗難防止機能を備えてないので、簡単に六角レンチを持ち去られてしまうという問題があった。
【課題を解決するための手段】
【０００４】
本考案に係る六角レンチ用収納ケースは、六角レンチを収納可能な収納ベースと、回動可能に該収納ベースに枢設され、該収納ベースをカバーする保持カバーとを有するものである。
【０００５】
その内、前記収納ベースは、本体と、六角レンチを収納するために、該本体の両側に形成されると共に、それぞれ間隔をおいて配設される複数の収容溝と、六角レンチを当接して固定するために、該各収容溝の両側から互いに対応するように凸設される２対の当接凸部と、該本体の一端を貫通する軸孔と、該本体の他端に形成される掛止凹部とを備えるものである。
【０００６】
前記保持カバーは、前記本体をカバーすることができるように、回動自在に該本体に枢設されるカバー部材と、該カバー部材に形成される吊り下げ部と、前記軸孔に回転可能に挿設されると共に、該カバー部材の一端に設けられる枢軸と、該掛止凹部と着脱可能に係合されると共に、該カバー部材の他端に設けられる掛止フックとを備えるものである。
【０００７】
前記収容溝は、湾曲状を呈し、その湾曲状部の外側に弧状のパッド部が設けられると共に、該パッド部における内弧面に凸縁が設けられ、該凸縁は、六角レンチの外周面に当接するように固定される。
【０００８】
さらに、前記収納ベースは、六角レンチを収納した時の安定性を高めるために、前記本体の底面の全域に亘って弧状を呈するように下方に伸びる固定座を備え、該固定座の両側にそれぞれ、前記収容溝と対応する複数の位置決め凹部が形成され、該各位置決め凹部の一側に、末端内面に凸部が形成されるフックが設けられる。
【０００９】
前記軸孔は、その上部内周面に孤状の回動制限部が形成され、
前記枢軸は、該回動制限部の範囲に移動可能に取り付けられると共に、上部周面にストッパーが凸設され、それにより、保持カバーの回転範囲を制限する。
【考案の効果】
【００１０】
本考案に係る六角レンチ用収納ケースは上記の課題を解決するものであることから、六角レンチを安定して収納できると共に、盗難を防止することができ、更に、着脱作業も簡単であるので、使用上非常に便利である。
【図面の簡単な説明】
【００１１】
【図１】本考案に係る六角レンチ用収納ケースの部分分解斜視図である。
【図２】本考案に係る六角レンチ用収納ケースに六角レンチを収納した状態を示す部分側面断面図である。
【図３】本考案に係る六角レンチ用収納ケースに六角レンチを収納した状態を示す斜視図である。
【図４】図３における六角レンチ用収納ケースに六角レンチを収納した状態において保持カバーを回転させ展開させた状態を示す部分側部断面図である。
【図５】図４における六角レンチ用収納ケースから六角レンチを取り出す動作状態を示す斜視図である。
【図６】図３における六角レンチ用収納ケースに六角レンチを収納した状態を示す底面図である。
【図７】従来の六角レンチ用収納ケースの部分分解斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１に示すように、本考案に係る六角レンチ用収納ケースは、収納ベース１と、保持カバー２とを有し、そのうち収納ベース１は、本体１０と、六角Ｌ形レンチの湾曲部と対応して収納するために、該本体１０の両側に形成されると共に、それぞれ間隔をおいて配設される湾曲状の複数の収容溝１１と、六角レンチの湾曲部と当接するために、該各収容溝１１の両側から互いに対応するように凸設される２対の当接凸部１７と、該各収容溝１１の湾曲状部の外側に設けられ、弧状を呈するように、内弧面に凸縁を設けられるパッド部１６と、該本体１０の一端を貫通する軸孔１２とを備えるものである。
【００１４】
前記収納ベース１は、前記本体１０の底面の全域に亘って弧状を呈するように下方に伸びる固定座１３を備え、該固定座１３は、両側に設けられると共に、それぞれに前記収容溝１１と対応する複数の位置決め凹部１４が形成され、更に、該各位置決め凹部１４の一側にリブ１４１が設けられると共に、他側に、末端内面に凸部が形成されるフック１４２が設けられる。ものである。
【００１５】
前記保持カバー２は、前記本体１０をカバーすることができるように、回動自在に前記本体１０に枢設されるカバー部材２０と、前記軸孔１２に回転可能に挿設されるように該カバー部材２０の一端に形成される枢軸２１と、両側にそれぞれ吊り下げ孔２４が穿設される吊り下げ部２３とを備えるものである。
【００１６】
さらに、前記軸孔１２は、上部内周面に孤状の回動制限部１２１が形成され、前記枢軸２１は、該回動制限部１２１の範囲に移動可能に取り付けられると共に、上部周面にストッパー２１１が設けられ、この構成によれば、枢軸２１が軸孔１２に挿設されることにより、前記保持カバー２が前記収納ベース１に対して回動する時、ストッパー２１１が回動制限部１２１に移動するから、保持カバー２の回転範囲を制限する。
【００１７】
図２、図３及び図６は、本考案に係る六角レンチ用収納ケースにおいて、サイズの異なる複数の六角Ｌ形レンチを収納する状態を示す平面図、斜視図、底面図であり、その内、図２では、本体１０は、他端に掛止凹部１５が形成され、前記カバー部材２０における、本体１０の掛止凹部１５と対応する位置に該掛止凹部１５と着脱可能に係合される掛止フック２２が設けられ、この構成によって、保持カバー２は、収納ベース１に強固に掛合され、また、前記収納ベース１をカバーすることにより、盗難防止にも役立つ。
【００１８】
また、六角レンチ３０は、その湾曲部を、対応するパッド部１６及び当接凸部１７に固定させることによって、対応する収容溝１１に強固に配置することができ、またこの時、前記六角レンチ３０の湾曲部の下部は、対応する位置決め凹部１４に位置すると共に、対応するフック１４２により掛合されるので、固定座１３にしっかりと固定させることができる。さらに、保持カバー２は、収納ベース１をカバーする時、収容溝１１の周囲に位置するので、六角レンチ３０の取り出しを防ぐことができる。
【００１９】
図４及び図５に示すように、保持カバー２が収納ベース１に対して回転する時、該保持カバー２のストッパー２１１は、回動制限部１２１に沿って回転する。すなわち、前記ストッパー２１１が回動制限部１２１の端部まで回転すると、保持カバー２の回転範囲を制限することができる。
【００２０】
本考案に係る六角レンチ用収納ケースは、全体の体積を小さくできると共に、携帯し易く、使い勝手もよいので、実用性に優れている。また、収納ベース１の本体１０では、六角レンチ３０の湾曲部を当接凸部１７及びパッド部１６に当接するように収納するので、六角レンチ３０を簡単に且つ強固に固定することができ、更に、保持カバー２には、吊り下げ部２３が設けられるので、本考案に係る六角レンチ用収納ケースを作業用の腰ベルトまたは壁に掛けることができる。
【産業上の利用可能性】
【００２１】
本考案は上記の構成を有するので、六角レンチを簡単に且つ強固に収納できると共に、盗難防止効果もあり、更には、着脱作業も簡単であるので、使用上非常に便利である。
【符号の説明】
【００２２】
１          収納ベース
１０        本体
１１        収容溝
１２        軸孔
１２１      回動制限部
１３        固定座
１４        位置決め凹部
１４１      リブ
１４２      フック
１５        掛止凹部
１６        パッド部
１７        当接凸部
２          保持カバー
２０        カバー部材
２１        枢軸
２１１      ストッパー
２２        掛止フック
２３        吊り下げ部
２４        吊り下げ孔
３０        六角レンチ
４０        挿設座
４１        挿入孔
【図１】
0003162849.tif 000003
【図２】
0003162849.tif 000004
【図３】
0003162849.tif 000005
【図４】
0003162849.tif 000006
【図５】
0003162849.tif 000007
【図６】
0003162849.tif 000008
【図７】
0003162849.tif 000009